(57)【要約】【課題】押圧部材の良好な動作を維持することができる感光体カートリッジを提供すること。【解決手段】  １対の側板５５は、左右方向において押圧部材５１を挟むように位置している。また、１対の側板５５の後端部は、後方位置に位置する押圧部材５１の押圧部６５の後面６５Ａよりも、後方に位置している。そのため、押圧部材５１が左右方向において干渉物と衝突することを１対の側板５５により抑制できる。また、押圧部材５１の押圧部６５の後面６５Ａが後方からの干渉物と衝突することを１対の側板５５により抑制できる。【選択図】図４
2015099222.tif 000002
【特許請求の範囲】
【請求項１】
第１軸線に関して回転するように構成される現像剤担持体を有する現像カートリッジを着脱可能に装着する感光体カートリッジであって、
前記第１軸線に沿う第２軸線に関して回転するように構成される感光体と、
前記感光体を収容する感光体収容部と、前記感光体収容部と隣り合い、前記現像カートリッジを収容するように構成されるカートリッジ収容部とを有する筐体と、
前記感光体収容部と前記カートリッジ収容部とが隣り合う方向であって前記第１軸線に直交する方向である第１方向に沿って第１位置と第２位置との間を移動するように構成される押圧部材と、
前記第１軸線に沿う方向である第２方向において前記押圧部材を挟むように隣接して配置される１対の保護部と、を備え、
前記押圧部材は、前記カートリッジ収容部に前記現像カートリッジが装着された状態において、前記第１方向において前記現像カートリッジを挟んで前記感光体収容部とは反対側に位置し、
前記押圧部材は、
前記現像カートリッジが前記カートリッジ収容部に収容されたときに前記第１位置に位置して、前記現像カートリッジを前記感光体に向けて押圧するように構成され、
前記現像カートリッジが前記カートリッジ収容部から離脱したときに、前記第１方向において前記第１位置よりも前記感光体側の位置である前記第２位置に位置し、
前記１対の保護部の前記第１方向における前記感光体側の端部は、前記第２位置にある前記押圧部材よりも、前記第１方向において前記感光体側に位置していることを特徴とする、感光体カートリッジ。
【請求項２】
前記押圧部材は、前記第１位置において前記現像カートリッジと当接するように構成される当接部を有し、
前記筐体は、
前記第１軸線と直交する第１壁と、
前記第１壁と直交し、前記現像カートリッジが装着された状態で前記第１方向および前記第２方向の両方と直交する第３方向において前記現像カートリッジと対向する第２壁とを有し、
前記第３方向において、前記当接部と前記第２壁との間の距離は、前記第３方向における前記保護部の端部と前記第２壁との間の距離より短いことを特徴とする請求項１に記載の感光体カートリッジ。
【請求項３】
前記１対の保護部のそれぞれは、前記第１方向において前記感光体に向かうにつれて、前記押圧部材から離間するように傾斜することを特徴とする、請求項１または２に記載の感光体カートリッジ。
【請求項４】
前記筐体は、
前記第１軸線と直交する第１壁と、
前記第１壁と直交し、前記現像カートリッジが装着された状態で前記第１方向および前記第２方向の両方と直交する第３方向において前記現像カートリッジと対向する第２壁と、
前記第２壁に設けられ、前記現像カートリッジを前記第３方向において位置決めする第１位置決め部をさらに備え、
前記第１位置決め部の少なくとも一部は、前記第３方向から見たときに、前記１対の保護部のそれぞれの間に位置することを特徴とする、請求項１ないし３のいずれか一項に記載の感光体カートリッジ。
【請求項５】
前記筐体は、前記押圧部材を前記第２位置に位置決めする第２位置決め部をさらに備え、
前記押圧部材は、前記第１方向において前記第２位置決め部と係合するように構成される係合部を備え、
前記１対の保護部のそれぞれは、前記係合部を前記第２位置決め部に案内するガイド部を有し、
前記ガイド部は、前記第２位置決め部と前記第１方向において接続され、前記押圧部材が前記第２位置から前記第１位置に向かう方向において前記第２位置決め部より上流側にあることを特徴する、請求項１ないし４のいずれか一項に記載の感光体カートリッジ。
【発明の詳細な説明】
【技術分野】
【０００１】
本発明は、電子写真方式が採用される画像形成装置に装着されるように構成される感光体カートリッジに関する。
【背景技術】
【０００２】
電子写真方式が採用される画像形成装置に装着されるように構成される感光体カートリッジとして、感光ドラムと、現像カートリッジを収容するように構成される収容部とを備える感光体カートリッジが知られている。現像ローラを有する現像カートリッジを収容部に収容すると、現像ローラと感光ドラムとが当接し、画像形成動作が可能な状態となる。
【０００３】
このような感光体カートリッジとして、収容部としての現像カートリッジ装着部が区画されるドラムフレームを備えるドラムカートリッジが知られている。ドラムフレームは、感光ドラムと、現像カートリッジ装着部を挟んで感光ドラムと反対側に位置する押圧部材とを備えている。現像カートリッジ装着部に現像カートリッジを装着すると、押圧部材により現像カートリッジが感光ドラムに向かって押圧される。これにより、現像カートリッジの現像ローラが感光ドラムに向かって押圧され、現像ローラと感光ドラムとが当接する（例えば、特許文献１参照）。
【先行技術文献】
【特許文献】
【０００４】
【特許文献１】特開２０１３−１１４１０９号公報
【発明の概要】
【発明が解決しようとする課題】
【０００５】
しかるに、上記特許文献１に記載のドラムカートリッジでは、ドラムカートリッジへの現像カートリッジの装着作業やドラムカートリッジのメンテナンス作業等の際に、押圧部材に干渉物が直接触れる可能性があり、押圧部材が破損するおそれがある。そして、押圧部材が破損すると、現像カートリッジに対する押圧部材の押圧を妨げるおそれがある。
【０００６】
そこで、本発明の目的は、押圧部材の良好な動作を維持することができる感光体カートリッジを提供することにある。
【課題を解決するための手段】
【０００７】
（１）上記目的を達成するために、本発明の感光体カートリッジは、第１軸線に関して回転するように構成される現像剤担持体を有する現像カートリッジを着脱可能に装着する感光体カートリッジであって、第１軸線に沿う第２軸線に関して回転するように構成される感光体と、感光体を収容する感光体収容部と、感光体収容部と隣り合い、現像カートリッジを収容するように構成されるカートリッジ収容部とを有する筐体と、感光体収容部とカートリッジ収容部とが隣り合う方向であって第１軸線に直交する方向である第１方向に沿って第１位置と第２位置との間を移動するように構成される押圧部材と、第１軸線に沿う方向である第２方向において押圧部材を挟むように隣接して配置される１対の保護部と、を備える。押圧部材は、カートリッジ収容部に現像カートリッジが装着された状態において、第１方向において現像カートリッジを挟んで感光体収容部とは反対側に位置する。押圧部材は、現像カートリッジがカートリッジ収容部に収容されたときに第１位置に位置して、現像カートリッジを感光体に向けて押圧するように構成され、現像カートリッジがカートリッジ収容部から離脱したときに、第１方向において第１位置よりも感光体側の位置である第２位置に位置する。１対の保護部の第１方向における感光体側の端部は、第２位置にある押圧部材よりも、第１方向において感光体側に位置している。
【０００８】
このような構成によれば、１対の保護部は、第２方向において押圧部材を挟むように隣接して配置される。  
【０００９】
そのため、押圧部材が第２方向において干渉物と衝突することを保護部により抑制できる。
【００１０】
その結果、押圧部材による良好な動作を維持することができる。
【００１１】
また、１対の保護部の第１方向における感光体側の端部は、第２位置にある押圧部材よりも、第１方向において感光体側に位置している。
【００１２】
そのため、押圧部材が第１方向において干渉物と衝突することを保護部により抑制できる。
【００１３】
その結果、押圧部材による良好な動作を一層維持することができる。
（２）また、押圧部材は、第１位置において現像カートリッジと当接するように構成される当接部を有する。筐体は、第１軸線と直交する第１壁と、第１壁と直交し、現像カートリッジが装着された状態で第１方向および第２方向の両方と直交する第３方向において現像カートリッジと対向する第２壁とを有する。第３方向において、当接部と第２壁との間の距離は、第３方向における保護部の端部と第２壁との間の距離より短い。
【００１４】
このような構成によれば、第３方向において、当接部と第２壁との間の距離は、保護部の端部と第２壁との間の距離より短い。
【００１５】
そのため、押圧部材が第３方向において干渉物と衝突することを保護部により抑制できる。
【００１６】
その結果、押圧部材による良好な動作を一層維持することができる。
（３）また、１対の保護部のそれぞれは、第１方向において感光体に向かうにつれて、押圧部材から離間するように傾斜する。
【００１７】
このような構成によれば、押圧部材を筐体に取り付ける際に、保護部が取り付け作業の妨げになることを抑制できる。
（４）また、筐体は、第１軸線と直交する第１壁と、第１壁と直交し、現像カートリッジが装着された状態で第１方向および第２方向の両方と直交する第３方向において現像カートリッジと対向する第２壁と、第２壁に設けられ、現像カートリッジを第３方向において位置決めする第１位置決め部をさらに備える。第１位置決め部の少なくとも一部は、第３方向から見たときに、１対の保護部のそれぞれの間に位置する。
【００１８】
このような構成によれば、第２壁には、現像カートリッジを第３方向において位置決めする第１位置決め部が設けられる。
【００１９】
そのため、第１位置決め部により、現像カートリッジを第３方向において位置決めできる。
【００２０】
その結果、現像カートリッジを第３方向において一定位置に位置する状態で押圧部材により押圧できる。
【００２１】
また、第１位置決め部の少なくとも一部は、第３方向から見たときに、１対の保護部のそれぞれの間に位置する。
【００２２】
そのため、１対の保護部によって第１位置決め部を保護できる。
（５）また、筐体は、１対の保護部のそれぞれと間隔を隔てて位置し、押圧部材を第２位置に位置決めする第２位置決め部をさらに備える。押圧部材は、第１方向において第２位置決め部と係合するように構成される係合部を備える。１対の保護部のそれぞれは、係合部を第２位置決め部に案内するガイド部を有する。ガイド部は、第２位置決め部と第１方向において接続され、押圧部材が第２位置から第１位置に向かう方向において第２位置決め部より上流側にある。
【００２３】
このような構成によれば、筐体は、押圧部材を第２位置に位置決めする第２位置決め部を備える。また、押圧部材は、第１方向において第２位置決め部と係合するように構成される係合部を備える。
【００２４】
そのため、押圧部材の係合部を第２位置決め部に係合させることで、押圧部材を第２位置に位置させることができる。
【００２５】
また、１対の保護部のそれぞれは、押圧部材の係合部を第２位置決め部に案内するガイド部を有する。
【００２６】
そのため、１対の保護部のそれぞれのガイド部によって、押圧部材の係合部を第２位置決め部に良好に案内できる。
【発明の効果】
【００２７】
本発明の感光体カートリッジでは、押圧部材の良好な動作を維持することができる。
【図面の簡単な説明】
【００２８】
【図１】図１は、本発明の感光体カートリッジの一実施形態としてのドラムカートリッジを示す側断面図である。
【図２】図２は、図１に示すドラムカートリッジを装着した画像形成装置の中央断面図である。
【図３】図３は、図１に示すドラムカートリッジの平面図である。
【図４】図４は、図１に示すドラムカートリッジのＡ−Ａ断面図である。
【図５】図５は、図４に示すドラムカートリッジにおいて、押圧部材を筐体に組み付ける状態を示す断面図であって、押圧部材の係合部を傾斜部に当接させた状態を示す断面図である。
【図６】図６は、図４に示すドラムカートリッジにおいて、押圧部材を筐体に組み付ける状態を示す断面図であって、押圧部材の係合部を挿通部に当接させた状態を示す断面図である。
【図７】図７は、図１に示すドラムカートリッジに装着する現像カートリッジを下方から見た状態を示す斜視図である。
【図８】図８は、図１に示すドラムカートリッジを用いたプロセスカートリッジを上方から見た状態を示す斜視図である。
【図９】図９Ａは、図８に示すプロセスカートリッジのＢ−Ｂ断面図であって、ドラムカートリッジに現像カートリッジを装着する状態を示す断面図である。図９Ｂは、図８に示すプロセスカートリッジのＢ−Ｂ断面図であって、ドラムカートリッジに対する現像カートリッジの装着が完了した状態を示す断面図である。
【発明を実施するための形態】
【００２９】
１．ドラムカートリッジの概略
以下の説明において、ドラムカートリッジ１の方向に言及するときには、ドラムカートリッジ１を水平に載置した状態を上下の基準とする。すなわち、図１の紙面上方が上方であり、紙面下方が下方である。また、図１の紙面右方が前方であり、図１の紙面左方が後方である。また、ドラムカートリッジ１を前方から見たときを左右の基準とする。すなわち、図１の紙面手前が左方であり、紙面奥が右方である。また、前後方向が第１方向の一例であり、左右方向が第２方向の一例であり、上下方向が第３方向の一例である。
【００３０】
感光体カートリッジの一例としてのドラムカートリッジ１は、図１に示すように、平面視略枠形の有底枠形状を有している。ドラムカートリッジ１は、感光体の一例としての感光ドラム２と、スコロトロン型帯電器３と、転写ローラ４とを備えている。
【００３１】
感光ドラム２は、ドラムカートリッジ１の後端部に回転可能に支持されている。感光ドラム２は、左右方向に延びる第２軸線の一例としての軸線Ａ１を中心として、左側面視時計回りの回転方向Ｒ１に沿って回転可能な状態で収容されている。
【００３２】
スコロトロン型帯電器３は、感光ドラム２の後方において、感光ドラム２と間隔を隔てて位置している。
【００３３】
転写ローラ４は、感光ドラム２の下方に位置している。転写ローラ４は、感光ドラム２の下端部と接触している。転写ローラ４は、左側面視反時計回りの回転方向Ｒ２に沿って回転可能である。
２．ドラムカートリッジの使用態様
図２に示すように、ドラムカートリッジ１は、画像形成装置１１に装着されて使用される。
【００３４】
画像形成装置１１は、電子写真方式のモノクロプリンタである。画像形成装置１１は、装置本体１２と、プロセスカートリッジ１３と、スキャナユニット１４と、定着ユニット１５とを備えている。
【００３５】
装置本体１２は、略ボックス形状に形成されている。装置本体１２は、開口部１６と、フロントカバー１７と、給紙トレイ１８と、排紙トレイ１９とを有している。
【００３６】
開口部１６は、装置本体１２の前端部に位置している。開口部１６は、プロセスカートリッジ１３の通過を許容するように、装置本体１２の内外を前後方向に連通している。
【００３７】
フロントカバー１７は、装置本体１２の前端部に位置している。フロントカバー１７は、略平板形状を有している。フロントカバー１７は、上下方向に延び、その下端部を支点として装置本体１２の前壁に揺動可能に支持されている。フロントカバー１７は、開口部１６を開放または閉鎖するように構成されている。
【００３８】
給紙トレイ１８は、装置本体１２の底部に位置している。給紙トレイ１８は、用紙Ｐを収容するように構成されている。
【００３９】
排紙トレイ１９は、装置本体１２の上壁の前側半分に位置している。排紙トレイ１９は、用紙Ｐが載置されるように、装置本体１２の上面から下方へ凹んでいる。
【００４０】
プロセスカートリッジ１３は、装置本体１２の上下方向略中央に収容されている。プロセスカートリッジ１３は、開口部１６を介して装置本体１２に対して装着または離脱するように構成されている。プロセスカートリッジ１３は、上記したドラムカートリッジ１と、現像カートリッジ２０とを備えている。
【００４１】
現像カートリッジ２０は、感光ドラム２の後方において、ドラムカートリッジ１に装着されている。現像カートリッジ２０は、現像剤担持体の一例としての現像ローラ２１と、供給ローラ２２と、層厚規制ブレード２３と、トナー収容部２４とを備えている。
【００４２】
現像ローラ２１は、現像カートリッジ２０の後端部において、左側面視反時計回りの回転方向Ｒ３に沿って回転可能な状態で支持されている。現像ローラ２１は、感光ドラム２の前端部に接触している。
【００４３】
供給ローラ２２は、現像ローラ２１の前下方に位置している。供給ローラ２２は、現像カートリッジ２０において、左側面視反時計回りの回転方向Ｒ４に沿って回転可能な状態で回転可能に支持されている。供給ローラ２２は、現像ローラ２１の前下端部に接触している。
【００４４】
層厚規制ブレード２３は、現像ローラ２１の前上方に位置している。層厚規制ブレード２３は、現像ローラ２１の前端部に接触している。
【００４５】
トナー収容部２４は、供給ローラ２２および層厚規制ブレード２３の前方に位置している。トナー収容部２４は、トナーを収容するように構成されている。トナー収容部２４は、アジテータ２５を備えている。
【００４６】
アジテータ２５は、トナー収容部２４内に回転可能に支持されている。
【００４７】
スキャナユニット１４は、プロセスカートリッジ１３の上方に位置している。スキャナユニット１４は、感光ドラム２に向けて画像データに基づくレーザービームを出射するように構成されている。
【００４８】
定着ユニット１５は、プロセスカートリッジ１３の後方に位置している。定着ユニット１５は、加熱ローラ２６と、加熱ローラ２６の後下端部に圧接される加圧ローラ２７とを備えている。
【００４９】
画像形成装置１１が画像形成動作を開始すると、スコロトロン型帯電器３は、感光ドラム２の表面を一様に帯電する。スキャナユニット１４は、感光ドラム２の表面を露光する。これにより、画像データに基づく静電潜像が、感光ドラム２の表面に形成される。
【００５０】
また、アジテータ２５は、トナー収容部２４内のトナーを撹拌して、供給ローラ２２に供給する。供給ローラ２２は、アジテータ２５によって供給されたトナーを現像ローラ２１に供給する。このとき、トナーは、現像ローラ２１と供給ローラ２２との間で正極性に摩擦帯電され、現像ローラ２１に担持される。層厚規制ブレード２３は、現像ローラ２１に担持されたトナーの層厚を一定厚さに規制する。
【００５１】
そして、現像ローラ２１に担持されたトナーは、感光ドラム２表面の静電潜像に供給される。これにより、トナー像が、感光ドラム２の表面に担持される。
【００５２】
用紙Ｐは、給紙トレイ１８から、各種ローラの回転により、所定のタイミングで１枚ずつ、感光ドラム２と転写ローラ４との間に給紙される。感光ドラム２表面のトナー像は、用紙Ｐが感光ドラム２と転写ローラ４との間を通過するときに、用紙Ｐに転写される。
【００５３】
その後、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ１９に排紙される。
３．ドラムカートリッジの詳細
図１および図３に示すように、ドラムカートリッジ１は、ドラムフレーム３１を備えている。
【００５４】
ドラムフレーム３１は、ベースフレーム３２と、カバーフレーム３３とを備えている。
（１）ベースフレーム
ベースフレーム３２は、平面視略矩形の有底枠形状を有している。ベースフレーム３２は、１対の第１壁の一例としての側壁３４と、後壁３５と、前壁３６と、第２壁の一例としての下壁３７とを一体的に備えている。
【００５５】
１対の側壁３４のそれぞれは、ベースフレーム３２の左右方向両端部のそれぞれに位置している。１対の側壁３４のそれぞれは、側面視略矩形の平板形状を有している。１対の側壁３４のそれぞれは、前後方向に延びている。左方の側壁３４は、ロックレバー３８を有している。
【００５６】
ロックレバー３８は、回転軸３９と、操作部４０と、リフト部４１とを一体的に備えている。
【００５７】
回転軸３９は、左右方向に延びる略円柱形状を有している。回転軸３９の左端部は、左方の側壁３４の前端部に回転可能に支持されている。
【００５８】
操作部４０は、略杆形状を有しており、回転軸３９から上方へ向かって、左方の側壁３４の上端縁よりも上方へ延びている。また、操作部４０は、規制部４２を有している。
【００５９】
規制部４２は、操作部４０の後上端部に位置している。規制部４２は、左右方向に延びる略平板形状を有している。
【００６０】
リフト部４１は、略杆形状を有しており、回転軸３９の右端部から後下方へ向かって延びている。
【００６１】
後壁３５は、１対の側壁３４の後端部間に架設されている。後壁３５は、正面視略矩形の平板形状を有しており、左右方向に延びている。
【００６２】
前壁３６は、１対の側壁３４の前端部間に架設されている。前壁３６は、正面視略矩形の平板形状を有しており、左右方向に延びている。前壁３６は、ドラムカートリッジ把持部４５を備えている。
【００６３】
ドラムカートリッジ把持部４５は、前壁３６の左右方向略中央に位置している。ドラムカートリッジ把持部４５は、平面視略矩形の平板形状を有している。ドラムカートリッジ把持部４５は、前壁３６の上端部から前方へ延びている。
【００６４】
下壁３７は、１対の側壁３４の下端部、後壁３５の下端部、および、前壁３６の下端部に架設されている。下壁３７は、平面視略矩形の平板形状を有しており、前後方向に延びている。下壁３７は、２つの押圧部材支持部５０と、２つの押圧部材５１と、２つの第１位置決め部の一例としての当接凸部５２とを有している。
（２）押圧部材支持部
２つの押圧部材支持部５０のそれぞれは、図３および図４に示すように、下壁３７の左右両端部のそれぞれに位置しており、下壁３７に一体的に形成されている。２つの押圧部材支持部５０のそれぞれは、平面視略後方側が開放された略コ字状を有しており、下壁３７の上面から上方に突出している。２つの押圧部材支持部５０のそれぞれは、１対の保護部の一例としての側板５５と、前板６２とを備えている。
【００６５】
１対の側板５５のそれぞれは、互いに左右方向に間隔を隔てて略前後方向に延びている。１対の側板５５のそれぞれは、傾斜部６１と、挿通部６０と、係止部５６と、スライド部５７とを備えている。
【００６６】
１対の傾斜部のそれぞれは、押圧部材支持部５０の後方部分に位置している。１対の傾斜部６１のそれぞれは、平面視において、後方に向かうにつれて互いに離間するように傾斜している。１対の傾斜部６１のそれぞれの左右方向の内面が傾斜面６１Ａである。
【００６７】
１対の挿通部６０のそれぞれは、１対の傾斜部６１のそれぞれの後端部から後方に向かって延びている。１対の挿通部６０のそれぞれの左右方向の内面が摺接面６０Ａである。
【００６８】
１対の摺接面６０Ａのそれぞれと１対の傾斜面６１Ａのそれぞれとがガイド部の一例を構成している。
【００６９】
１対の係止部５６のそれぞれは、１対の挿通部６０のそれぞれの後端から左右方向外方に延びている。
【００７０】
１対のスライド部５７のそれぞれは、１対の係止部５６のそれぞれの左右方向の外方端部から後方に延びている。
【００７１】
前板６２は、１対のスライド部５７のそれぞれの後端部間において、左右方向に延びている。前板６２の左右方向の中央部からは、係止突起６３が後方に向かって突出している。係止突起６３は、後述するばね取付部６７とともに後述する圧縮ばね７０の位置ずれを規制している。
【００７２】
押圧部材支持部５０においては、１対の側板５５のそれぞれの左右方向の距離が、前後方向の位置によって異なっている。詳しくは、左右方向において、１対の傾斜部の間の距離は、前方に向かうにつれて短くなる。１対の挿通部６０の間の距離は一定であり、１対の傾斜部６１の前端部間の距離と略同一である。１対のスライド部５７の間の距離は一定であり、１対の挿通部６０の間の距離よりも長い。
（３）押圧部材
図１および図４に示すように、２つの押圧部材５１のそれぞれは、２つの押圧部材支持部５０のそれぞれの１対の側板５５間において、第１位置の一例としての前方位置と第２位置の一例としての後方位置との間で前後方向にスライド可能である。すなわち、１対の側板５５は、左右方向において押圧部材５１を挟むようにして隣接している。２つの押圧部材５１のそれぞれは、前後方向に延びる略筒形状を有しており、後方が閉鎖されている。２つの押圧部材５１のそれぞれは、押圧部６５と、突出部６６と、ばね取付部６７と、１対の係合部６８とを備えている。
【００７３】
押圧部６５は、押圧部材５１の後方部に位置している。押圧部６５は、前後方向に幅厚な略板形状を有している。当接部の一例としての押圧部６５の後面６５Ａは、側面視略円弧形状を有している。
【００７４】
突出部６６は、押圧部６５から上方に突出している。突出部６６は、側面視略三角形の平板形状を有しており、側面視において、１対の側板５５の上端部よりも上方に突出している。突出部６６の後面６６Ａは、押圧部６５の後面６５Ａの上端部に連続して、上方へ向かうにつれて前方に傾斜している。
【００７５】
ばね取付部６７は、押圧部６５の前面から前方に向かって延びている。ばね取付部６７は、略円柱形状を有しており、前に向かって先細るテーパー形状を有している。ばね取付部６７には、圧縮ばね７０が取付られている。
【００７６】
圧縮ばね７０は、線材が巻回されることにより構成されるコイルばねであって、前後方向に延びている。正面視において、圧縮ばね７０の内径は、ばね取付部６７の外径と略同一である。圧縮ばね７０の後端部は、ばね取付部６７の外周面に嵌っている。圧縮ばね７０の前端部は、ばね係止部５８の係止突起６３に嵌るようにして前板６２の後面に当接している。圧縮ばね７０は、押圧部材５１を後方へ付勢している。また、圧縮ばね７０は、ばね取付部６７と係止突起６３とにより位置ずれが規制される。
【００７７】
１対の係合部６８のそれぞれは、押圧部材５１の左右方向の両面から前方に延びている。詳しくは、押圧部材５１の左右方向の両面は前後方向に切り欠かれており、１対の係合部６８のそれぞれはこの切り欠き部分のそれぞれに位置している。１対の係合部６８のそれぞれは、前端部に係合突起６８Ａを備えている。
【００７８】
１対の係合突起６８Ａのそれぞれは、１対の係合部６８の前端から左右方向外方に略鉤状に突出している。１対の係合突起６８Ａのそれぞれは、１対のスライド部５７間に位置し、かつ、１対の係止部５６のそれぞれの後方に位置している。１対の係合突起６８Ａのそれぞれの左右方向外端部間の距離は、押圧部材支持部５０の１対の傾斜部６１の後方部分間の距離、および、１対のスライド部５７間の距離よりも短い。また、１対の係合突起６８Ａのそれぞれの左右方向外端部間の距離は、押圧部材支持部５０の１対の傾斜部６１の前方部分間の距離、および、１対の挿通部６０間の距離よりも長い。
（４）当接凸部
２つの当接凸部５２のそれぞれは、２つの押圧部材支持部５０のそれぞれの後方に位置しており、下壁３７に一体的に形成されている。２つの当接凸部５２のそれぞれは、略半球形状を有している。２つの当接凸部５２のそれぞれは、下壁３７の上面から上方へ膨出している。
（５）カバーフレーム
図１に示すように、カバーフレーム３３は、ベースフレーム３２の後端部の上方に位置している。カバーフレーム３３は、平面視略矩形の平板形状を有しており、左右方向に延びている。カバーフレーム３３、１対の側壁３４のそれぞれの後端部、および、下壁３７の後端部により囲まれる空間が感光体収容部の一例としてのドラム収容部７６である。ドラム収容部７６よりも前方において、１対の側壁３４および前壁３６によって囲まれる空間が、現像カートリッジ２０が収容されるカートリッジ収容部７５である。すなわち、ドラム収容部７６は、カートリッジ収容部７５の後方に位置しており、ドラム収容部７６は、前後方向において、カートリッジ収容部７５と隣り合っている。
（６）押圧部材の筐体への組み付け
ドラムカートリッジ１の組み立て作業では、図５および図６に示すように、押圧部材５１を押圧部材支持部５０に組み付ける。
【００７９】
まず、作業者は、押圧部材５１を、押圧部６５の後面６５Ａが後方に位置し、係合部６８の係合突起６８Ａが前方に位置するようにして、押圧部材支持部５０の後方に位置させる。
【００８０】
次いで、作業者は、図５に示すように、押圧部材５１の係合部６８の係合突起６８Ａが、押圧部材支持部５０の１対の側板５５に当接するまで、押圧部材５１を前方に移動させる。
【００８１】
このとき、押圧部材５１の１対の係合突起６８Ａのそれぞれは、押圧部材支持部５０の１対の傾斜面６１Ａに沿うように当接している。
【００８２】
次いで、作業者は、押圧部材５１をさらに前方に移動させる。
【００８３】
すると、図６に示すように、押圧部材５１の１対の係合突起６８Ａのそれぞれは、押圧部材支持部５０の１対の挿通部６０のそれぞれに当接する。
【００８４】
このとき、押圧部材５１の１対の係合突起６８Ａのそれぞれは、後端を支点として左右方向内方に撓んでいる。
【００８５】
そして、作業者は、押圧部材５１をさらに前方に移動させる。
【００８６】
すると、押圧部材５１の１対の係合突起６８Ａのそれぞれは、押圧部材支持部５０の１対の摺接面６０Ａのそれぞれに摺接しながら前方に移動する。また、圧縮ばね７０の後端部は、押圧部材支持部５０の係止突起６３に嵌るとともに前板６２に当接し、押圧部材５１には、圧縮ばね７０から後方に向かう付勢力が付与される。
【００８７】
次いで、作業者は、押圧部材５１を圧縮ばね７０の付勢力に抗してさらに前方に移動させる。
【００８８】
すると、押圧部材５１の１対の係合突起６８Ａのそれぞれは、押圧部材支持部５０の１対の挿通部６０のそれぞれよりも後方に移動した直後に、撓む状態が解消されて左右方向外方に拡がる。そして、押圧部材５１の１対の係合突起６８Ａのそれぞれは、押圧部材支持部５０の１対の係止部５６のそれぞれに当接する。
【００８９】
このとき、押圧部材５１の１対の係合突起６８Ａのそれぞれは、押圧部材支持部５０の１対の係止部５６のそれぞれに係合しており、図４の実線で示すように、押圧部材５１は後方位置に位置する。これにより、押圧部材５１は、後方位置よりも後方への移動が規制される。
（７）押圧部材支持部の相対位置
図１および図３に示すように、押圧部材５１が後方位置に位置した状態において、押圧部材５１の押圧部６５の後面６５Ａは、押圧部材支持部５０の１対の側板５５の後端部よりも、感光ドラム２側である後方に位置している。これにより、１対の側板５５によって押圧部材５１の押圧部６５の後面６５Ａに対して後方から干渉物が衝突することが抑制される。  
【００９０】
図１に示すように、押圧部材５１の押圧部６５の後面６５Ａの上下方向中央から下壁３７までの距離Ｌ１は、押圧部材支持部５０の１対の側板５５の上端部から下壁３７までの距離Ｌ２よりも短い。すなわち、押圧部材支持部５０の１対の側板５５の上端は、押圧部材５１の押圧部６５の後面６５Ａよりも上方に位置する。これにより、１対の側板５５によって押圧部材５１の押圧部６５の後面６５Ａに対して上方から干渉物が衝突することが抑制される。
【００９１】
図４に示すように、平面視において、当接凸部５２の前方部分は、押圧部材支持部５０の１対の側板５５のそれぞれの後端部間に位置している。これにより、１対の側板によって当接凸部５２の前方部分に対して左右方向から干渉物が衝突することが抑制される。
【００９２】
４．現像カートリッジの詳細
図７および図９Ｂに示すように、現像カートリッジ２０は、現像フレーム８１と駆動部９５とを備えている。
（１）現像フレーム
現像フレーム８１は、略ボックス形状を有している。現像フレーム８１は、１対の側壁８４と、下壁８５と、前壁８６と、上壁８３を一体的に備えている。
【００９３】
１対の側壁８４のそれぞれは、現像フレーム８１の左右方向両端部のそれぞれに位置
している。１対の側壁８４のそれぞれの前端部間には、上記した現像ローラ２１が位置している。現像ローラ２１は、１対の側壁８４のそれぞれの前端部において、左右方向に延びる第１軸線の一例としての軸線Ａ２を中心として回転可能に支持されている。１対の側壁８４のそれぞれは、延設部９０を有している。
【００９４】
延設部９０は、図７に示すように、１対の側壁８４のそれぞれの前端部に位置している。延設部９０は、側面視略矩形の略平板形状を有している。延設部９０は、１対の側壁８４のそれぞれの前端部から前方へ延びている。
【００９５】
下壁８５は、前後方向に延びる略平板形状を有している。下壁８５の左右両端部は、１対の側壁８４のそれぞれの下端部に連続している。
【００９６】
前壁８６は、下壁８５の前端部から連続して上方へ延びている。前壁８６は、正面視略矩形状を有している。前壁８６の左右両端部は、１対の側壁８４の前端間に架設されている。前壁８６は、現像カートリッジ把持部８７を備えている。
【００９７】
現像カートリッジ把持部８７は、前壁８６の左右方向略中央の上端部に位置している。
【００９８】
上壁８３は、平面視略矩形の平板形状を有しており、１対の側壁８４のそれぞれの上端部、および、前壁８６の上端部に架設されている。
（２）駆動部
駆動部９５は、現像フレーム８１の左方に位置している。駆動部９５は、図示しないギア列と、図示しないギア列を覆うギアカバー９６とを備えている。図示しないギア列は、装置本体１２からの駆動力を、上記した現像ローラ２１、供給ローラ２２およびアジテータ２５に伝達する。
【００９９】
ギアカバー９６は、左右方向に延びる略角筒形状を有している。ギアカバー９６は、ロック部９７を備えている。
【０１００】
ロック部９７は、ギアカバー９６の前端部に位置している。ロック部９７は、側面視略矩形の平板形状を有している。ロック部９７は、ギアカバー９６の左面から左方へ突出し、上下方向に延びている。
５．ドラムカートリッジに対する現像カートリッジの装着または離脱
（１）ドラムカートリッジに対する現像カートリッジの装着作業
現像カートリッジ２０は、図８および図９Ｂに示すように、ドラムカートリッジ１のカートリッジ収容部７５に装着される。
【０１０１】
ドラムカートリッジ１に対する現像カートリッジ２０の装着作業において、作業者は、図９Ａに示すように、現像カートリッジ把持部８７を把持し、現像カートリッジ２０の後端部をドラムカートリッジ１のカートリッジ収容部７５に上方から挿入する。
【０１０２】
すると、現像カートリッジ２０の延設部９０は、ドラムカートリッジ１の押圧部材５１の後端部に上方から当接する。現像カートリッジ２０は、延設部９０が押圧部材５１の突出部６６の後面６６Ａを滑るように、後下方へ移動する。また、現像ローラ２１が感光ドラム２に前方から当接されると、現像カートリッジ２０は、それ以上の後下方への移動が規制される。
【０１０３】
次いで、作業者は、現像カートリッジ把持部８７を放して、現像カートリッジ２０の前端部を下方へ押圧する。
【０１０４】
すると、現像カートリッジ２０は、その後端部を支点として、左側面視時計回りに回動する。このとき、図９Ｂに示すように、現像カートリッジ２０の延設部９０の前面９０Ａは、押圧部材５１の後面６５Ａを前方へ向かって押圧しながら下方へ移動し、押圧部材５１の後方に位置する。これにより、押圧部材５１は、圧縮ばね４７の付勢力に抗して前方に移動する。
【０１０５】
そして、延設部７０の下面９０Ｂがドラムフレーム３１の当接凸部５２に上方から当接すると、現像カートリッジ２０は、それ以上の回動が規制される。
【０１０６】
これにより、押圧部材５１は、圧縮ばね７０の付勢力により、側壁８４を後方へ押圧する。すると、現像ローラ２１は、押圧部材５１からの押圧力により、感光ドラム２に押圧される。このとき、押圧部材５１は、第１位置の一例としての前方位置に位置する。
【０１０７】
このようにして、ドラムカートリッジ１に対する現像カートリッジ２０の装着作業が完了する。
【０１０８】
ドラムカートリッジ１に対して現像カートリッジ２０を装着させた状態において、押圧部材５１は、前後方向において現像カートリッジ２０を挟んでカートリッジ収容部７５とは反対側に位置している。
（２）ドラムカートリッジからの現像カートリッジの離脱作業
図８に示すように、現像カートリッジ２０がドラムカートリッジ１に装着されているときには、ロックレバー３８の規制部４２は、現像カートリッジ２０のロック部９７の上方に位置する。これにより、現像カートリッジ２０がドラムカートリッジ１内において上方への移動が規制され、現像カートリッジ２０のドラムカートリッジ１からの離脱が規制される。
【０１０９】
そして、ドラムカートリッジ１からの現像カートリッジ２０の離脱作業においては、作業者は、まず、ロックレバー３８の操作部４０を前下方へ押圧する。
【０１１０】
すると、ロックレバー３８は、回転軸３９を中心に左側面視時計回りに回動する。すると、規制部４２が現像カートリッジ２０のロック部９７の前方へ傾倒するとともに、リフト部４１の後下端部がギアカバー９６の前端部に下方から当接する。
【０１１１】
次いで、作業者は、ロックレバー３８の操作部４０をさらに前下方へ押圧する。
【０１１２】
すると、ギアカバー９６がリフト部４１によって上方へ押圧され、現像カートリッジ２０の前端部は、上方へ移動する。
【０１１３】
次いで、作業者は、現像カートリッジ把持部８７を把持して、現像カートリッジ２０をドラムカートリッジ１の現像カートリッジ装着部４３から上方へ離脱させる。
【０１１４】
このようにして、ドラムカートリッジ１からの現像カートリッジ２０の離脱作業が完了する。
６．作用効果
（１）このドラムカートリッジ１によれば、図４に示すように、１対の側板５５は、左右方向において押圧部材５１を挟むように位置している。
【０１１５】
そのため、押圧部材５１が左右方向において干渉物と衝突することを１対の側板５５により抑制できる。
【０１１６】
その結果、押圧部材５１による良好な動作を維持することができる。
【０１１７】
また、１対の側板５５の後端部は、後方位置に位置する押圧部材５１の押圧部６５の後面６５Ａよりも、後方に位置している。
【０１１８】
そのため、押圧部材５１の押圧部６５の後面６５Ａが後方からの干渉物と衝突することを１対の側板５５により抑制できる。
【０１１９】
その結果、押圧部材５１による良好な動作を一層維持することができる。
（２）このドラムカートリッジ１によれば、図１に示すように、上下方向において、押圧部材５１の押圧部６５の後面６５Ａの上下方向中央から下壁３７までの距離Ｌ１は、押圧部材支持部５０の１対の側板５５の上端部から下壁３７までの距離Ｌ２よりも短い。
【０１２０】
そのため、押圧部材５１が上方からの干渉物と衝突することを１対の側板５５により抑制できる。
【０１２１】
その結果、押圧部材５１による良好な動作を一層維持することができる。
（３）このドラムカートリッジ１によれば、図４に示すように、１対の側板５５の傾斜部６１のそれぞれは、後方に向かうにつれて、押圧部材５１から離間するように傾斜する。
【０１２２】
そのため、押圧部材５１を押圧部材支持部５０に取り付ける際に、１対の側板５５が取り付け作業の妨げになることを抑制できる。
（４）このドラムカートリッジ１によれば、図４に示すように、下壁３７には、現像カートリッジ２０を上下方向において位置決めする当接凸部５２が設けられる。
【０１２３】
そのため、当接凸部５２により、現像カートリッジ２０を上下方向において位置決めできる。
【０１２４】
その結果、現像カートリッジ２０を上下方向において一定位置に位置する状態で押圧部材５１により押圧できる。
【０１２５】
また、当接凸部５２の前方部分は、平面視において、１対の側板５５のそれぞれの間に位置する。
【０１２６】
そのため、１対の側板５５によって当接凸部５２を保護できる。
（５）このドラムカートリッジ１によれば、図４に示すように、押圧部材支持部５０は、押圧部材５１を後方位置に位置決めする１対の係止部５６を備える。また、押圧部材５１は、係止部５６と係合する１対の係合突起６８Ａを備える。
【０１２７】
そのため、押圧部材５１の１対の係合突起６８Ａのそれぞれを１対の係止部５６のそれぞれに係合させることで、押圧部材５１を後方位置に位置させることができる。
【０１２８】
また、１対の側板５５のそれぞれは、押圧部材５１の１対の係合突起６８Ａを１対の係止部５６のそれぞれに案内する傾斜面６１Ａおよび摺接面６０Ａを有する。
【０１２９】
そのため、１対の側板５５のそれぞれの傾斜面６１Ａおよび摺接面６０Ａによって、押圧部材５１の１対の係合突起６８Ａを１対の係止部５６のそれぞれに良好に案内できる。
７．変形例
上記の実施形態では、現像ローラ２１が現像剤担持体の一例として記載したが、現像剤担持体としては、現像ローラ２１に代えて、例えば、ブラシ状のローラや、磁性ローラ等などを適用することもできる。
【０１３０】
また、上記の実施形態では、１対の側板５５は、下壁３７に一体的に形成されているとしたが、１対の側板５５は、下壁３７と別部材として構成されていてもよい。
【０１３１】
また、上記の実施形態では、当接凸部５２は、下壁３７に一体的に形成されているとしたが、１対の側板５５は、下壁３７と別部材として構成されていてもよい。
【符号の説明】
【０１３２】
１      ドラムカートリッジ
２      感光ドラム
２０    現像カートリッジ
２１    現像ローラ
３４    側壁
３７    下壁
５０    押圧部材支持部
５１    押圧部材
５２    当接凸部
５５    側壁
５６    係止部
７５    カートリッジ収容部
７６    ドラム収容部
８４    側壁
８５    下壁
【図１】
2015099222.tif 000003
【図２】
2015099222.tif 000004
【図３】
2015099222.tif 000005
【図４】
2015099222.tif 000006
【図５】
2015099222.tif 000007
【図６】
2015099222.tif 000008
【図７】
2015099222.tif 000009
【図８】
2015099222.tif 000010
【図９】
2015099222.tif 000011